(57)【要約】      （修正有）【課題】装脱着が容易で、且つ抜け落ちにくい指輪を提供する。【解決手段】分割された２以上の部材を有する環状の指輪本体１０と、指輪本体の一部を覆って設置される飾台部２０を備える指輪であり、指輪本体は、部材間の隣接する端部１１Ａ、１２Ａを回動可能に連結した接続部と、接続部の回動により開閉する２つの端部１１Ｂ、１２Ｂからなる開閉部を有する。開閉部を構成する２つの端部は、着脱可能に嵌合する。また、飾台部は、指輪本体の開閉部を覆って設置される断面Ｕ字状部材を備え、断面Ｕ字状部材の周方向の一方の端部は、指輪本体と回動可能に固定され、他方の端部は、指輪本体と着脱可能に嵌合する。【選択図】図２
0003218006.tif 000002
【実用新案登録請求の範囲】
【請求項１】
分割された２以上の部材を有する環状の指輪本体と、前記指輪本体の一部を覆って設置される飾台部を備える指輪であって、
前記指輪本体は、
部材間の隣接する端部を回動可能に連結した接続部と、
前記接続部の回動により開閉する２つの端部からなる開閉部であって、前記２つの端部が着脱可能に嵌合する、開閉部を有し、
前記飾台部は、
前記指輪本体の開閉部を覆って設置される断面Ｕ字状部材を備え、前記断面Ｕ字状部材の周方向の一方の端部は、指輪本体と回動可能に固定され、他方の端部は、前記指輪本体と着脱可能に嵌合する、
ことを特徴とする指輪。
【請求項２】
前記断面Ｕ字状部材の内周面には、突起部が形成され、前記指輪本体には、前記突起部が嵌合する溝が形成されることを特徴とする請求項１に記載の指輪。
【請求項３】
前記指輪本体の開閉部には、一方の端部から周方向に延びる薄片状部材からなり、先端に突起を有するストッパが設けられ、
前記突起は、他方の端部にスライド可能に装着され、前記他方の端部には、所定角度指輪本体が開いた状態で、前記突起の移動を制止する突起移動制止部が設けられることを特徴とする請求項１又は２に記載の指輪。
【請求項４】
前記環状の指輪本体は、角部が曲面の多角形状であることを特徴とする請求項１〜３のいずれか１項に記載の指輪。
【考案の詳細な説明】
【技術分野】
【０００１】
本考案は、指輪に関し、特に、装脱着が容易で、且つ抜け落ちを防止できる指輪に関する。
【背景技術】
【０００２】
一般的な指輪は、円環状の一体構造であり、装着したい指の第２関節付近の最も太いサイズを基準として指輪サイズは決められる。そのため、指の先端から第２関節を通過して指輪を装着すると、指輪の内周と指との間に隙間が生じ、指輪が回転する等の問題が生じることがある。
一方で、指のサイズは、時間帯や季節により変化し、疲労によるむくみ等によっても大きく変わるため、装着した指輪が外れにくくなることもある。また、加齢等により、関節付近のサイズが大きくなることもある。この場合には、従来の一体構造の指輪では、装着が難しくなり、指輪の着用を断念することにもつながっている。
【０００３】
上記課題に対して、装着及び取り外しが容易な分割型の指輪が提案されている。特許文献１では、内周側を対向させた一対の円弧状部材と、円弧状部材の端部にそれぞれ設けた取付脚部と取付基部とを互いに回動自在に軸ピンで連結した軸着部とを備え、一対の円弧状部材の他端には互いに上下に重なり合うよう交差するデザイン部が設けられ、一対の円弧状部材が閉じた位置において、容易に開放しない挟着力を取付脚部と取付基部との軸着部に付与した指輪が示されている。  上記構成によれば、指輪を指に装着するとき、または指から取り外すときに、一対の円弧状部材の先端部を離したり接近したりすることによって、指の太さに応じて指輪の内径をすばやく変化させることができ、その結果、装着及び取り外しに時間が掛からず、しかも指輪が指から簡単に抜け落ちないことが記載されている。
【先行技術文献】
【特許文献】
【０００４】
【特許文献１】実用新案登録第３１６４０４０号公報
【考案の概要】
【考案が解決しようとする課題】
【０００５】
特許文献１の指輪では、一対の円弧状部材が閉じた位置において、容易に開放しない挟着力を取付脚部と取付基部との軸着部に付与することが示されている。しかしながら、特許文献１の構造では、抜け落ち防止効果は十分とはいえない。特に、他端のデザイン部等に物が引っ掛かり、引っ張られた場合、デザイン部が開放し、指輪が落下する可能性がある。さらに、多くの荷物を持っているときや混雑時には、このような状況に気づかず、指輪を紛失することも考えられる。デザイン部に高額な宝飾品等を設置している場合も多く、精神的にも経済的にも大きな痛手を受けることとなる。
そこで本考案では、装脱着が容易で、且つ抜け落ちにくい指輪を提供することを目的とする。
【課題を解決するための手段】
【０００６】
上記課題に鑑み鋭意検討の結果、本考案者は、開閉部を有する分割型の指輪本体と、上記開閉部を覆って指輪本体に設置される飾台部を備える指輪において、開閉部を構成する指輪本体の端部間に着脱可能な嵌合部を形成し、且つ飾台部と指輪本体間にも着脱可能な嵌合部を形成することにより、前記課題を解決できることを見出し、本考案を完成するに至った。
すなわち、本考案の指輪は、分割された２以上の部材を有する環状の指輪本体と、上記指輪本体の一部を覆って設置される飾台部を備える指輪であって、上記指輪本体は、部材間の隣接する端部を回動可能に連結した接続部と、上記接続部の回動により開閉する２つの端部からなる開閉部であって、上記２つの端部が着脱可能に嵌合する、開閉部を有し、上記飾台部は、上記指輪本体の開閉部を覆って設置される断面Ｕ字状部材を備え、上記断面Ｕ字状部材の周方向の一方の端部は、指輪本体と回動可能に固定され、他方の端部は、上記指輪本体と着脱可能に嵌合する、ことを特徴とする。
【考案の効果】
【０００７】
本考案の指輪は、複数に分割された指輪本体と、指輪本体に被さって設置される飾台部を含み、指輪本体は、回動可能に固定された接続部と開閉部を有する。このため、指の装着位置に直接指輪を配置して開閉部を閉じて装着でき、装着位置で開閉部を開くことにより、簡単に指輪を外すことができる。このように指の先端から関節を通過して装脱着する必要がないため、指の太さの変化に関わらず、指輪を容易に装脱着することができる。また、指輪のサイズを、最も太い関節周辺のサイズに合わせる必要がなく、指輪を装着したい場所のサイズに合わせられるため、装着時のフィット感にも優れる。
そして、本考案の指輪の飾台部は、開閉部を含む指輪本体の一部の外周面に被さって設置され、飾台部の一端は、指輪本体に回動可能に固定され、飾台部の他端は、脱着可能に指輪本体と嵌合する。このため、指輪を閉じた状態では、指輪本体を左右に引っ張っても、飾台部で固定されるため、指輪本体が開くことはない。また、指輪を装着中に、飾台部に物が引っ掛かり、飾台部が引っ張られて外れたとしても、指輪本体が閉じているため、抜け落ちることはない。このように本考案では、ダブルロック機構を採用しているため、多くの荷物を持った場合や混雑時に使用した場合であっても、指輪が抜け落ちて紛失することを防止できる。
また、本考案では、指輪本体の開閉部は、飾台部で被われるため、指輪を装着した状態では、指輪本体の切れ目が外部からは見えず、美観が損われることもない。
【図面の簡単な説明】
【０００８】
【図１】本考案の一実施形態による指輪の正面図である。
【図２】図１の指輪の飾台部の片側を外して指輪本体を開いた状態を示す正面図である。
【図３】図１の指輪の接続部を指輪の中心から外周側に向かって（矢印Ｙの方向）見たときの拡大図である。
【図４】図１の指輪の指輪本体を閉じたときの開閉部の状態を示す拡大図である。
【図５】図１の指輪の飾台部を拡大した斜視図である。
【図６】図１の指輪の指輪本体を閉じて飾台部の片側を外した状態を示す正面図である。
【図７】本考案の他の実施形態による指輪の正面図である。
【図８】本考案のさらに他の実施形態による指輪の正面図である。
【考案を実施するための形態】
【０００９】
以下、本考案の実施の形態について図面を参照して詳細に説明する。
図１に、本考案の第１の実施形態による指輪１の正面図を示す。指輪１は、指輪本体１０および飾台部２０から構成される。飾台部２０には、各種デザインを施すことができ、飾台部２０に設けられる台座２１には、ダイヤモンド等の宝石をはめ込むことができる。
図２に示すように、指輪本体１は、２つの円弧状部材１１，１２に分割されている。そして、円弧状部材１１、１２の一方の接続部（図中の下部の接続部）では、それぞれの円弧状部材１１、１２の端部１１Ａ、１２Ａは、回動可能に連結されている。
図３に、図１の指輪の接続部を、指輪の中心から外周側に向かって（矢印Ｙの方向で）見たときの拡大図を示す。
円弧状部材１１の端部１１Ａには、軸方向の上下に周方向に向かって突出する脚部（凹部）１１１が形成される。一方、円弧状部材１２の端部１２Ａには、端部１１Ａの凹部に対応する凸部１２１が形成される。そして、端部１１Ａの凹部１１１内に、端部１２Ａの凸部１２１が収容された状態で、軸方向に貫通するピン１３で固定される。この構造では、ピン１３を軸として回動可能となり、指輪本体１を開閉することができる。
【００１０】
円弧状部材１１，１２の他方の端部１１Ｂ、１２Ｂは開閉部となり、開閉部の上に飾台部２０が設置される。指輪１を指に装着するときは、指輪本体１０を閉じてから、飾台部２０を被せる。このため、通常、指輪を装着した状態では、端部１１Ｂ、１２Ｂは、飾台部２０により隠れて、外部から見えないため、美観が損なわれることはない。
【００１１】
図２に示すように、円弧状部材１１の端部１１Ｂの外周側には、周方向に向かって突出する突出部１１２が形成される。図２の拡大図に示すように、突出部１１２の先端には平坦面が形成される。また、突出部１１２の内周側には、径方向に湾曲した溝部１１３が形成され、突出部１１２は、鍵爪状となっている。
一方、円弧状部材１１の端部１２Ｂの内周側には、周方向に向かって突出する突出部１２３が形成される。突出部１２３の外周側は、溝部１１３の形状に対応するように径方向に向かって湾曲している。突出部１２３の外周側、すなわち、突出部１２３の根元には、平坦面１２２が形成される。
【００１２】
図４は、指輪１の指輪本体１０を閉じたときの開閉部の状態を示す拡大図である。
円弧状部材１１の両端部１１Ｂ、１２Ｂを押し付けると、端部１１Ｂの内周側の溝部１１３に、端部１２Ｂの内周側の突出部１２３が嵌合して、両端部１１Ｂ、１２Ｂが固定される。このとき、円弧状部材１１の端部１１Ｂの外周側の平坦面と端部１２Ｂの外周側の平坦面１２２は対向する。この状態で、指輪本体１０は、ほぼ真円の円環状となる。
両端部１１Ｂ、１２Ｂを両側に向けて、引っ張ることにより、端部１２Ｂの内周側の突出部１２３が、端部１１Ｂの内周側の溝部１１３から外れ、指輪本体１０を開くことができる。
【００１３】
図５は、飾台部２０を拡大した斜視図である。また、図６は、指輪本体１０を閉じて飾台部２０の片側を外した状態を示す正面図である。
飾台部２０は、断面Ｕ字状部材から構成され、端部１１Ｂ、１２Ｂを含む指輪本体１０の外周面の一部に被さって設置される（図１の状態）。飾台部２０の一方の端部２０Ａ付近には、飾台部２０の断面Ｕ字状部材の一方の脚部から指輪本体１０を貫通して、断面Ｕ字状部材の他方の脚部まで軸方向に延びるピン２２が固定される。この構成により、飾台部２０の断面Ｕ字状部材の一方の端部２０Ａが固定され、ピン２２を軸として、断面Ｕ字状部材は、所定角度回動可能となる（図６参照）。
飾台部２０の断面Ｕ字状部材の他方の端部２０Ｂ付近には、断面Ｕ字状部材の脚部の内周側２カ所に突起２３が設けられる。一方、上記断面Ｕ字状部材の内周側の突起２３に対応する指輪本体１０の上下面には、突起２３を収容する溝１４がそれぞれ形成される。飾台部２０を指輪本体１０に被せて押し付けることにより、飾台部２０の断面Ｕ字状部材に設けられた突起２３が、指輪本体１０に設けられた溝１４と嵌合する。この状態で、飾台部２０は、指輪本体１０に固定される（図１の状態）。この状態では、指輪本体１０を両側に引っ張っても、飾台部２０によりロックされるため、指輪本体１０は開かない。
【００１４】
本実施形態の指輪１を指に装着するときは、まず、飾台部２０の端部２０Ｂを引き上げて、断面Ｕ字状部材の突起２３を指輪本体１０の溝１４から外すことにより、飾台部２０の一端を指輪本体１０から離す（図６の状態）。その後、指輪本体１０を両側に引っ張ることにより、端部１１Ｂの溝部１１３から端部１２Ｂの突出部１２３を外して、指輪本体１０を開く（図２の状態）。この状態で、指輪１をはめたい指の装着位置で、指輪本体１０の端部１１Ｂ、１２Ｂどうしを押し付けて、端部１１Ｂの溝部１１３に、端部１２Ｂの突出部１２３をはめ込み、指輪本体１２を固定する（図６の状態）。さらに、飾台部２０を指輪本体１０に被せて、指輪本体１０の溝部１４に、飾台部の断面Ｕ字状部材の突起２３をはめ込むことにより飾台部２０を固定する（図１の状態）。
【００１５】
本考案の指輪では、最も太い第２関節付近を通過することなく、開いた状態の指輪を直接装着したい指の位置にはめることができる。ここで、指輪本体１０の両端部１１Ｂ、１２Ｂを押し付けて閉じ、飾台部２０を指輪本体１０に押し付けるという簡単な操作で装着できる。また、指輪本体１０から飾台部の一端２０Ｂを引き上げて外し、指輪本体１０の両端部１１Ｂ、１２Ｂを両側に向けて引っ張って開くことにより、容易に外すことができる。
本考案では、上述のように、飾台部２０を外す方向と指輪本体１０を開く方向が異なる。このように、二重ロック機構を採用しているため、飾台部２０が指輪本体１０に装着された状態では、指輪本体１０の両端部１１Ｂ、１２Ｂが両側に引っ張られても、飾台部２０によりロックされて、指輪本体１０が開くことはない。そのため、使用中の指輪の落下が大幅に低減される。
【００１６】
なお、本実施の形態において、指輪本体１は、左右対称に２分割されているが、分割方法は、これに限定されるものではない。例えば、左右非対称の形に分割することもできるし、２分割以上の複数の部材に分割することもできる。装脱着性や落ちにくさ等を考慮して、分割方法は適宜決めることができる。
【００１７】
図７に本考案の第２の実施形態による指輪の斜視図を示す。
基本的な構造は、第１の実施形態による指輪と同様であるので、ここでは、説明を省略する。
本実施形態では、円弧状部材１２’の端部１２’Ｂの内周側から周方向に延びる薄片状のストッパ２００が形成される。一方、円弧状部材１１’の端部１１’Ｂには、上記ストッパ２００が納められる周方向に延びるスペースが形成される。そして、ストッパ２００の先端には、外周側に突出する突起２０１が設けられ、円弧状部材１１’の他方の端部１１’Ｂにスライド可能に装着される。また、スペースの先端部には、突起移動制止部が設けられ、突起２０１がスライドして、指輪本体１０’が所定角度開いた状態で、突起２０１のスライドを制止するように構成される。
【００１８】
指輪本体１０’を閉じた状態では、ストッパ２００全体が、端部１１’Ｂに形成されたスペースに納められる。一方、指輪本体１０’を開く場合は、突起２０１が周方向にスライドして、所定角度まで指輪本体１０’が開く。突起２０１が、スペースの先端に設けられた突起移動制止部の位置まで到達すると突起２０１のスライドが制止される。
このように、本実施形態の指輪では、開閉部が所定角度までしか開かないため、指輪の落下をより確実に防止することができる。
【００１９】
図８に、本考案のさらに他の実施形態による指輪の正面図を示す。
本実施形態においては、指輪本体は円形ではなく、角部が曲面である四角形状である点が上記実施例と異なる。このように指輪本体を四角形状とすることにより、指輪を装着したときの回転を防止することができる。
本実施形態では、四角形状を示すが、本考案の指輪本体の形状は、四角形状に限定されず、回転防止機能の他、装着性、デザイン性等を考慮して、角部が曲面で構成されるその他の各種多角形状とすることもできる。
【符号の説明】
【００２０】
１      指輪
１０    指輪本体
１１、１２    円弧状部材
１１Ａ、１２Ａ    円弧状部材１１、１２の端部（接続部側）
１１Ｂ、１２Ｂ    円弧状部材１１、１２の端部（開閉部側）
１３    ピン
１４    溝
２０    飾台部
２１    台座
２２    ピン
２３    突起
１１１    脚部（凹部）
１１２    突出部
１１３    溝部
１２１    凸部
１２３    突出部
【図１】
0003218006.tif 000003
【図２】
0003218006.tif 000004
【図３】
0003218006.tif 000005
【図４】
0003218006.tif 000006
【図５】
0003218006.tif 000007
【図６】
0003218006.tif 000008
【図７】
0003218006.tif 000009
【図８】
0003218006.tif 000010